(57)【特許請求の範囲】
【請求項１】
相対する長辺外梁と相対する短辺外梁とにより額縁状に形成された外周枠と、該外周枠の相対する短辺外梁を連結するとともに前記外周枠の相対する長辺外梁に平行な長辺仕切り梁と、前記外周枠の相対する長辺外梁を連結するとともに前記外周枠の相対する短辺外梁に平行な短辺仕切り梁とを有し、前記外周枠の角部の上面と、前記外周枠の相対する短辺外梁と前記長辺仕切り梁とのＴ字交差部の上面と、前記外周枠の相対する長辺外梁と前記短辺仕切り梁とのＴ字交差部の上面と、前記長辺仕切り梁と前記短辺仕切り梁との十字交差部の上面とには、スタッキング状態時に、その端部同士が当接する支柱が形成されており、また、前記外周枠の角部の下面と、前記外周枠の相対する長辺外梁と前記短辺仕切り梁とのＴ字交差部の下面と、前記長辺仕切り梁と前記短辺仕切り梁との十字交差部の下面とには、ネスティング状態時に、前記支柱に挿入可能な支柱が形成されており、ネスティング状態に段積みされたパック用中仕切りの上に位置するパック用中仕切りを取り出して、該パック用中仕切りを、該パック用中仕切りの長辺仕切り梁を軸に、１８０度回転させることにより、上に位置するパック用中仕切りを、下に位置するパック用中仕切り対して、スタッキング状態とすることができるように構成されていることを特徴とするパック用中仕切り。
【請求項２】
前記外周枠と前記仕切り梁とのＴ字交差部の上面に形成された支柱の所定の支柱に、スタッキング状態時に、前記支柱の根元部を囲むように配置された係止リブが形成されていることを特徴とする請求項１に記載のパック用中仕切り。
【請求項３】
前記外周枠の相対する短辺外梁と前記長辺仕切り梁とのＴ字交差部の下面には、支柱が形成されていないことを特徴とする請求項１又は請求項２に記載のパック用中仕切り。
【発明の詳細な説明】
【０００１】
【発明の属する技術分野】
本発明は、青果や野菜や食料品や小型機械部品や日用雑貨等の種々の物品を、箱型のパックに詰めた後に、このように種々の物品が詰められたパックを、折り畳みコンテナー等の容器に収容する際に、パックが、容器内で移動し、干渉し合わないように、パックを収納し、保持するためのパック用中仕切りに関するものである。
【０００２】
【従来の技術】
従来、縦枠と横枠を適当に配置し、縦枠と横枠とりより形成された方形状の空間部に、パックが収納されるように構成されているとともに、縦横に延在する枠の上下面の適当な箇所に、それぞれ９個ずつの中空円錐状の支柱を突設したパック用中仕切りが知られている（例えば、特開平２０００−６２７８１号公報等）。そして、上に位置するパック用中仕切りの枠から下方に延在する９個の支柱の下端と、下に位置するパック用中仕切りの枠から上方に延在する９個の支柱の上端とを、それぞれ当接させることにより、上下に配置されたパック用中仕切りの間隔が大きな段積み状態（以下、この状態を、スタッキング状態という。）となり、上下に配置されたパック用中仕切りにパックが収納されるように構成されており、また、上記のスタッキング状態から、上に位置するパック用中仕切りを、水平面に沿って１８０度、回転させることにより、上に位置するパック用中仕切りの枠から下方に延在する９個の支柱が、下に位置するパック用中仕切りの枠から下方に延在する９個の支柱内に挿入されて、上下に配置されたパック用中仕切りの間隔が小さな段積み状態（以下、この状態を、ネスティング状態という。）に積み重ねられ、パック用中仕切り同士が、高さの低い、コンパクトに積み重ねられるように構成されている。
【０００３】
【発明が解決しようとする課題】
上述した従来のパック用中仕切りにおいては、パックが収納されるように積み重ねられた状態、即ち、スタッキング状態においては、上下に配置されたパック用中仕切り同士が、９個の支柱により支えられているのみであるので、パック用中仕切りを、スタッキング状態に段積みした際の段積み強度が弱く、安定した状態で段積みすることができないという問題があった。
【０００４】
また、上述した従来のパック用中仕切りにおいては、ネスティング状態のパック用中仕切りを、スタッキング状態にするには、上下に位置するパック用中仕切りの一方を、水平面に沿って１８０度、回転させることになるが、パック用中仕切りが大きい場合には、この回転作業の際に、パック用中仕切りが、作業者の体に接触し、ネスティング状態からネスティング状態へのパック用中仕切りの段積み切り換え作業の作業性が悪いという問題があった。スタッキング状態からネスティング状態へのパック用中仕切りの段積み切り換え作業の際も同様の問題があった。
【０００５】
本発明の目的は、上述した従来のパック用中仕切りが有する課題を解決することにある。
【０００６】
【課題を解決するための手段】
本発明は、上述した目的を達成するために、第１には、相対する長辺外梁と相対する短辺外梁とにより額縁状に形成された外周枠と、該外周枠の相対する短辺外梁を連結するとともに前記外周枠の相対する長辺外梁に平行な長辺仕切り梁と、前記外周枠の相対する長辺外梁を連結するとともに前記外周枠の相対する短辺外梁に平行な短辺仕切り梁とを有し、前記外周枠の角部の上面と、前記外周枠の相対する短辺外梁と前記長辺仕切り梁とのＴ字交差部の上面と、前記外周枠の相対する長辺外梁と前記短辺仕切り梁とのＴ字交差部の上面と、前記長辺仕切り梁と前記短辺仕切り梁との十字交差部の上面とには、スタッキング状態時に、その端部同士が当接する支柱が形成されており、また、前記外周枠の角部の下面と、前記外周枠の相対する長辺外梁と前記短辺仕切り梁とのＴ字交差部の下面と、前記長辺仕切り梁と前記短辺仕切り梁との十字交差部の下面とには、ネスティング状態時に、前記支柱に挿入可能な支柱が形成されており、ネスティング状態に段積みされたパック用中仕切りの上に位置するパック用中仕切りを取り出して、該パック用中仕切りを、該パック用中仕切りの長辺仕切り梁を軸に、１８０度回転させることにより、上に位置するパック用中仕切りを、下に位置するパック用中仕切り対して、スタッキング状態とするように構成したものであり、第２には、前記外周枠と前記仕切り梁とのＴ字交差部の上面に形成された支柱の所定の支柱に、スタッキング状態時に、前記支柱の根元部を囲むように配置された係止リブを形成したものであり、第３には、前記外周枠の相対する短辺外梁と前記長辺仕切り梁とのＴ字交差部の下面には、支柱を形成しないようにしたものである。
【０００７】
【実施例】
以下に、本発明の実施例について説明するが、本発明の趣旨を越えない限り何ら、本実施例に限定されるものではない。
【０００８】
本発明のパック用中仕切りは、額縁状に形成された外周枠１を有しており、外周枠１は、一方の相対する長辺外梁１ａと、もう一方の相対する短辺外梁１ｂとから構成されている。また、外周枠１内には、相対する短辺外梁１ｂを連結するとともに、長辺外梁１ａに平行な長辺仕切り梁２が形成されており、更に、長辺仕切り梁２を挟んで、相対する外周枠１の長辺外梁１ａを連結するとともに、外周枠１の短辺外梁１ｂに平行な複数の短辺仕切り梁３が、等間隔に形成されている。本実施例には、相対する短辺外梁１ｂの中央部を連結する１本の長辺仕切り梁２が形成されている例が示されているが、等間隔に２本以上形成することもできるし、また、短辺仕切り梁３が、４本形成されている例が示されているが、同様に、等間隔に、適当本数、形成することができる。なお、以下においては、長辺仕切り梁２が１本、そして、短辺仕切り梁３が４本形成されている例を用いて、本実施例を説明する。
【０００９】
外周枠１と、長辺仕切り梁２と、短辺仕切り梁３とにより囲まれた空間部４に、箱型のパックＰが挿入され、パックＰの開口部フランジｐ１が、外周枠１や長辺仕切り梁２や短辺仕切り梁３に載置されて、パックＰが、パック用中仕切りに収納されるように構成されている。
【００１０】
外周枠１の４つの角部５の下面と、外周枠１の長辺外梁１ａと短辺仕切り梁３とのＴ字交差部６の下面と、長辺仕切り梁２と短辺仕切り梁３との十字状交差部７の下面とには、それぞれ、先細り状の中空の円錐台状支柱Ｍが垂設されている。外周枠１の短辺外梁１ｂと長辺仕切り梁２とのＴ字交差部８には、上記の円錐台状支柱Ｍは垂設されていない。従って、パック用中仕切りには、合計１６個の円錐台状支柱Ｍが形成されている。
【００１１】
外周枠１の長辺外梁１ａと短辺仕切り梁３とのＴ字交差部６の上面と、長辺仕切り梁２と短辺仕切り梁３との十字状交差部７の上面と、外周枠１の短辺外梁１ｂと長辺仕切り梁２とのＴ字交差部８の上面とには、それぞれ、上述した先細り状の円錐台状支柱Ｍが挿入可能な略円筒状の筒状支柱Ｆ１が立設されている。また、外周枠１の４つの角部５の上面には、上部及び側部が開放された、筒状支柱Ｆ１と同じ高さを有する半筒状支柱Ｆ２が立設されており、短辺外梁１ｂの両端部側に配置された半筒状支柱Ｆ２同士は、相対する側部に側部開放部ｆ２ａが位置するように構成されている。パック用中仕切りには、合計１４個の筒状支柱Ｆ１と合計４個の半筒状支柱Ｆ２が形成されている。
【００１２】
上述した先細り状の円錐台状支柱Ｍが挿入可能な略円筒状の筒状支柱Ｆ１の幾つかには、図３に示されているように、その外周面に、筒状支柱Ｆ１の軸線に沿って、複数の垂直リブｆ１ａが形成されており、垂直リブｆ１ａは、その先端部が、筒状支柱Ｆ１の先端を越えて延在し、係止リブｆ１ｂを形成している。本実施例には、垂直リブｆ１ａが３本形成されている例が示されており、従って、本実施例においては、係止リブｆ１ｂが３個形成されている。本実施例においては、３本の垂直リブｆ１ａ及び係止リブｆ１ｂは、外周枠１の長辺外梁１ａに沿って相対するように２本と、短辺仕切り梁３側に１本、形成されている。また、本実施例においては、平面図的に見たパック用中仕切りの中心点Ｃｐに対して点対称の位置にある、外周枠１の長辺外梁１ａと短辺仕切り梁３とのＴ字交差部６の上面に立設された筒状支柱Ｆ１のうち、外周枠１の長辺外梁１ａの中央に一番近い位置にある２個の筒状支柱Ｆ１に、垂直リブｆ１ａ及び係止リブｆ１ｂが形成されている。勿論、パック用中仕切りの中心点Ｃｐに対して点対称の位置にある、外周枠１の長辺外梁１ａと短辺仕切り梁３とのＴ字交差部６の上面に立設された筒状支柱Ｆ１のうち、外周枠１の角部５側に位置する２個の筒状支柱Ｆ１に、垂直リブｆ１ａ及び係止リブｆ１ｂを形成することもできる。なお、垂直リブｆ１ａや係止リブｆ１ｂは、３個以上、形成することもできる。
【００１３】
また、外周枠１の４つの角部５の上面に立設された半筒状支柱Ｆ２は、筒状支柱Ｆ１に比べて、強度的に弱いので、図４等に示されているように、その外周面に、半筒状支柱Ｆ２の軸線に沿って、複数の補強垂直リブｆ２ｂを形成することが好ましい。
【００１４】
長辺仕切り梁２は、帯状板部２ａと、帯状板部２ａの周辺に沿って形成された、帯状板部２ａに対して略垂直な周壁部２ｂとから構成されており、周壁部２ｂの上下方向の中央に、帯状板部２ａが位置するように構成されている。また、外周枠１の短辺外梁１ｂと短辺仕切り梁３との間及び短辺仕切り梁３間に位置する帯状板部２ａには、透孔２ｃが穿設されている。外周枠１と長辺仕切り梁２と短辺仕切り梁３とにより囲まれた空間部４に、箱型のパックＰが挿入されているパック用中仕切りから、パックＰを取り出す際には、透孔２ｃの下から、指や棒材等を挿入して、パックＰの開口部フランジｐ１を突き上げることにより、容易に、パックＰを取り出すことができる。また、隣り合うパックＰの開口部フランジｐ１間に、透孔２ｃの上方から指を突き刺して、パックＰの開口部フランジｐ１を指で引っ掛けて持ち上げることにより、容易に、パックＰを取り出すことができる。
【００１５】
短辺仕切り梁３は、帯状板部３ａと、帯状板部３ａに対して略垂直で、帯状板部３ａの中央部から上下方向に延在する壁部３ｂとから構成されている。
【００１６】
図１や図３等に示されているように、外周枠１の長辺外梁１ａは、帯状板部１ａ１と、帯状板部１ａ１の内側の縁部に沿って形成された、帯状板部１ａ１に対して略垂直な壁部１ａ２とを有しており、そして、壁部１ａ２の上下方向の中央に、帯状板部１ａ１が位置するように構成されている。また、壁部１ａ２に連続して、外周枠１の４つの角部５の上下面に形成された半筒状支柱Ｆ２と円錐台状支柱Ｍの根元部を囲むように、囲撓壁１ａ３が形成されており、更に、壁部１ａ２に連続して、外周枠１の長辺外梁１ａと短辺仕切り梁３とのＴ字交差部６の上下面に形成された筒状支柱Ｆ１と円錐台状支柱Ｍの根元部を囲むように、囲撓壁１ａ４が形成されている。なお、１ａ５は、隣り合う囲撓壁１ａ３、１ａ４を連結する、壁部１ａ２に平行な連結壁である。
【００１７】
図１や図４等に示されているように、外周枠１の短辺外梁１ｂも、帯状板部１ｂ１と、帯状板部１ａ１の外側の縁部に沿って形成された、帯状板部１ｂ１に対して略垂直な壁部１ｂ２とを有しており、そして、壁部１ｂ２の上下方向の中央に、帯状板部１ｂ１が位置するように構成されている。
【００１８】
上述した長辺仕切り梁２を構成する帯状板部２ａと、短辺仕切り梁３を構成する帯状板部３ａと、外周枠１の長辺外梁１ａを構成する帯状板部１ａ１と、外周枠１の短辺外梁１ｂを構成する帯状板部１ｂ１とは、略面一に形成されている。また、長辺仕切り梁２を構成する周壁部２ｂや、短辺仕切り梁３を構成する壁部３ｂや、外周枠１の長辺外梁１ａを構成する壁部１ａ２や、囲撓壁１ａ３、１ａ４や、囲撓壁１ａ３、１ａ４を連結する連結壁１ａ５や、外周枠１の短辺外梁１ｂを構成する壁部１ｂ２の上下端からなる仮想面は、それぞれ、面一な水平面を形成するように構成されている。
【００１９】
図１に示されているように、外周枠１や長辺仕切り梁２や短辺仕切り梁３の上方に、半筒状支柱Ｆ２と筒状支柱Ｆ１が位置し、また、外周枠１や長辺仕切り梁２や短辺仕切り梁３の下方に、円錐台状支柱Ｍが位置するように、上下方向に２個のパック用中仕切りを配置した後、図５や図６に示されているように、上に位置するパック用中仕切りＴａの円錐台状支柱Ｍを、下に位置するパック用中仕切りＴｂの半筒状支柱Ｆ２及び筒状支柱Ｆ１に挿入することにより、上下に配置されたパック用中仕切りＴａ、Ｔｂを高さの低い段積み状態、即ち、ネスティング状態に積み重ねることができる。従って、箱型のパックＰが収容されていないパック用中仕切りの搬送や保管等の際のスペースを減少することができる。
【００２０】
また、外周枠１や長辺仕切り梁２や短辺仕切り梁３の上方に、半筒状支柱Ｆ２と筒状支柱Ｆ１が位置し、また、外周枠１や長辺仕切り梁２や短辺仕切り梁３の下方に、円錐台状支柱Ｍが位置するように、上下方向に２個のパック用中仕切りを配置した後、上に位置するパック用中仕切りＴａを反転させて、即ち、長辺仕切り梁２を軸に、１８０度回転させて、図７に示されているように、上に位置するパック用中仕切りＴａの外周枠１や長辺仕切り梁２や短辺仕切り梁３の下方に、半筒状支柱Ｆ２と筒状支柱Ｆ１が位置し、また、外周枠１や長辺仕切り梁２や短辺仕切り梁３の上方に、円錐台状支柱Ｍが位置するように配置し、その後、上に位置するパック用中仕切りＴａを、下に位置するパック用中仕切りＴｂに載置すると、図８に示されているように、下に位置するパック用中仕切りＴｂに形成された半筒状支柱Ｆ２と筒状支柱Ｆ１の上端面と、上に位置するパック用中仕切りＴａに形成された半筒状支柱Ｆ２と筒状支柱Ｆ１の下端面とが当接し、上下に配置されたパック用中仕切りＴａ、Ｔｂの間隔が大きな段積み状態、即ち、スタッキング状態に積み重ねられることになる。このようなスタッキング状態に積み重ねられたパック用中仕切りに、箱型のパックＰが収容されることになる。このように、下に位置するパック用中仕切りＴｂの合計１８個の半筒状支柱Ｆ２と筒状支柱Ｆ１に、上に位置するパック用中仕切りＴａの合計１８個の半筒状支柱Ｆ２と筒状支柱Ｆ１が支持されるように構成されているので、段積み強度が大きく、従って、安定した状態で、パック用中仕切りをスタッキングすることができる。
【００２１】
ネスティング状態に段積みされたパック用中仕切りを取り出して、スタッキング状態にする際には、上述したように、長辺仕切り梁２を軸に、１８０度回転させて行うようにしたので、上述した従来のパック用中仕切りのように、パック用中仕切りを、水平面に沿って１８０度、回転させる場合に比べて、その作業性が向上する。同様に、パック用中仕切りを、ネスティング状態に段積みする際の作業性も向上する。
【００２２】
また、上述したスタッキング状態においては、図９に示されているように、上に位置するパック用中仕切りＴａの筒状支柱Ｆ１に形成された係止リブｆ１ｂが、下に位置するパック用中仕切りＴｂに形成された筒状支柱Ｆ１の根元部を囲むように配置されるとともに、下に位置するパック用中仕切りＴｂの筒状支柱Ｆ１に形成された係止リブｆ１ｂが、上に位置するパック用中仕切りＴｂに形成された筒状支柱Ｆ１の根元部を囲むように配置されるので、筒状支柱Ｆ１が水平方向に移動しようとしても、係止リブｆ１ｂにより、その水平移動が制限されることになる。従って、下に位置するパック用中仕切りＴｂに対する上に位置するパック用中仕切りＴａの水平方向の移動が制限されるので、安定した状態で、パック用中仕切りを段積みすることができる。
【００２３】
更に、図９等に示されているように、上下方向に位置する先細り状の中空の円錐台状支柱Ｍの内部空間Ｓ１と、円錐台状支柱Ｍが挿入可能な略円筒状の筒状支柱Ｆ１の内部空間Ｓ２とが連通しているので、円錐台状支柱Ｍや筒状支柱Ｆ１に、雨水や洗浄液等が溜まるようなことがない。図５に示されているように、パック用中仕切りがネスティング状態に段積みされた場合にも、また、図８に示されているように、スタッキング状態に段積みされた場合においても、上下方向に位置する円錐台状支柱Ｍの内部空間Ｓ１と筒状支柱Ｆ１の内部空間Ｓ２とが連通しているので、ネスティング状態或いはスタッキング状態においても、円錐台状支柱Ｍや筒状支柱Ｆ１に、雨水や洗浄液等が溜まるようなことがない。
【００２４】
更に、外周枠１の４つの角部５に形成された半筒状支柱Ｆ２には、側部開放部ｆ２ａが形成され、その側部が開放されているので、パック用中仕切りをネスティング状態に段積みする際に、半筒状支柱Ｆ２への円錐台状支柱Ｍの挿入が、筒状支柱Ｆ１への円錐台状支柱Ｍの挿入作業に比べて容易であるので、半筒状支柱Ｆ２を筒状支柱Ｆ１とし、全てを筒状支柱Ｆ１とした場合に比べて、ネスティング作業の作業性が向上する。勿論、ネスティング作業の作業性の向上が必要とされない場合には、外周枠１の４つの角部５に形成された半筒状支柱Ｆ２を、全て、筒状支柱Ｆ１とするすることもできる。
【００２５】
更にまた、外周枠１の短辺外梁１ｂと長辺仕切り梁２とのＴ字交差部８には、円錐台状支柱Ｍが垂設されていないので、折り畳みコンテナー等の容器に、パック用中仕切りを収容したり、或いは、折り畳みコンテナー等の容器から、パック用中仕切りを取り出す際に、円錐台状支柱Ｍが垂設されていない外周枠１の短辺外梁１ｂを持って、パック用中仕切りを収容したり、或いは、パック用中仕切りを取り出すことができるので、パック用中仕切りの取り扱い性が向上する。勿論、上記のような取り扱い性の向上が必要とされない場合には、外周枠１の短辺外梁１ｂと長辺仕切り梁２とのＴ字交差部８にも、円錐台状支柱Ｍを垂設することができる。
【００２６】
次に、図１０及び図１１を用いて、本発明の別の実施例について説明する。
【００２７】
この実施例においては、パック用中仕切りの中心点Ｃｐに対して点対称の位置にある円錐台状支柱Ｍのうち、外周枠１の長辺外梁１ａの中央に一番近い位置にある２個の円錐台状支柱Ｍの下端を円板ｍ１で塞ぐとともに、円板ｍ１に嵌合突起ｍ２を突設したものである。
【００２８】
図８に示されているように、スタッキング状態に段積みされた２個のパック用中仕切りの上に位置するパック用中仕切りＴａの上に、更に、パック用中仕切りＴｃをスタッキングする場合には、パック用中仕切りＴａの円錐台状支柱Ｍの上端に、上に位置するパック用中仕切りＴｃの円錐台状支柱Ｍの下端を載置することになるが、この場合に、上に位置するパック用中仕切りＴｃの円錐台状支柱Ｍの円板ｍ１に形成された嵌合突起ｍ２が、下に位置するパック用中仕切りＴａの円錐台状支柱Ｍの上端開口部ｍ３に嵌合されるとともに、下に位置するパック用中仕切りＴａの円錐台状支柱Ｍの円板ｍ１に形成された嵌合突起ｍ２が、上に位置するパック用中仕切りＴｃの円錐台状支柱Ｍの上端開口部ｍ３に嵌合されるように構成されている。従って、下に位置するパック用中仕切りＴａに対する、上に位置するパック用中仕切りＴｃの水平方向が制限されるので、安定した状態で、多数のパック用中仕切りを段積みすることができる。
【００２９】
上述した実施例においては、外周枠１と長辺仕切り梁２と短辺仕切り梁３とにより囲まれた空間部４に、箱型のパックＰが挿入された際には、パックＰの開口部フランジｐ１は、長辺仕切り梁２を構成する周壁部２ｂや、短辺仕切り梁３を構成する壁部３ｂや、外周枠１の長辺外梁１ａを構成する壁部１ａ２と連結壁１ａ５や、外周枠１の短辺外梁１ｂを構成する壁部１ｂ２の上端に載置されるように構成されており、且つ、パックＰの開口部フランジｐ１は、隣り合う囲撓壁１ａ３、１ａ４を連結する連結壁１ａ５より、外側に延在するように構成されている。従って、空間部４に挿入されたパックＰを取り出す際には、隣り合う囲撓壁１ａ３、１ａ４に載置されているパックＰの開口部フランジｐ１と、外周枠１を構成する長辺外梁１ａの帯状板部１ａ１との間に形成されている間隙に、指や棒材等を挿通して、パックＰを持ち上げることにより、容易に、パックＰを、パック用中仕切りから取り出すことができる。
【００３０】
【発明の効果】
本発明は、以上説明した構成を有しているので、以下に記載する効果を奏するものである。
【００３１】
外周枠の角部の上面と、外周枠と仕切り梁とのＴ字交差部の上面と、仕切り梁同士の十字交差部の上面とに、スタッキング状態時に、その端部同士が当接する支柱を形成したので、段積み強度が大きく、従って、安定した状態で、パック用中仕切りをスタッキングすることができる。
【００３２】
外周枠と仕切り梁とのＴ字交差部の上面に形成された支柱の所定の支柱に、スタッキング状態時に、支柱の根元部を囲むように配置された係止リブを形成したので、下に位置するパック用中仕切りに対する上に位置するパック用中仕切りの水平方向の移動を制限することができ、従って、安定した状態で、パック用中仕切りを段積みすることができる。
【００３３】
外周枠の短辺外梁と長辺仕切り梁とのＴ字交差部の下面には、ネスティング状態時に、外周枠の角部の上面と、外周枠と仕切り梁とのＴ字交差部の上面と、仕切り梁同士の十字交差部の上面とに形成された支柱に挿入可能な支柱が形成されていないので、折り畳みコンテナー等の容器に、パック用中仕切りを収容したり、或いは、折り畳みコンテナー等の容器から、パック用中仕切りを取り出す際に、支柱が垂設されていない外周枠を持って、パック用中仕切りを収容したり、或いは、パック用中仕切りを取り出すことができるので、パック用中仕切りの取り扱い性が向上する。
【図面の簡単な説明】
【図１】図１は本発明のパック用中仕切りの斜視図である。
【図２】図２は本発明のパック用中仕切りの裏面からの斜視図である。
【図３】図３は本発明のパック用中仕切りの部分斜視図である。
【図４】図４は本発明のパック用中仕切りの部分斜視図である。
【図５】図５は本発明の２個のパック用中仕切りがネスティング状態に段積みされた状態の斜視図である。
【図６】図６は本発明の２個のパック用中仕切りがネスティング状態に段積みされた状態の部分垂直断面図である。
【図７】図７は本発明の２個のパック用中仕切りがスタッキング状態に段積みされる前の斜視図である。
【図８】図８は本発明の２個のパック用中仕切りがスタッキング状態に段積みされた状態の斜視図である。
【図９】図９は本発明の２個のパック用中仕切りがスタッキング状態に段積みされた状態の部分垂直断面図である。
【図１０】図１０は本発明の別の実施例のパック用中仕切りの斜視図である。
【図１１】図１１は図１０に示されているパック用中仕切りがスタッキング状態に段積みされた状態の部分垂直断面図である。
【符号の説明】
Ｆ１・・・・・・・・筒状支柱
Ｆ２・・・・・・・・半筒状支柱
Ｍ・・・・・・・・・円錐台状支柱
１・・・・・・・・・外周枠
２・・・・・・・・・長辺仕切り梁
３・・・・・・・・・短辺仕切り梁
【図１】
0003908539.tif 000002
【図２】
0003908539.tif 000003
【図３】
0003908539.tif 000004
【図４】
0003908539.tif 000005
【図５】
0003908539.tif 000006
【図６】
0003908539.tif 000007
【図７】
0003908539.tif 000008
【図８】
0003908539.tif 000009
【図９】
0003908539.tif 000010
【図１０】
0003908539.tif 000011
【図１１】
0003908539.tif 000012